(57)【要約】      （修正有）【課題】紙葉類を収納したホルダーを掲示板等に掲示するための磁石を取付けられると共に、ホルダーを保管するときには、掲示板等に掲示するためにホルダーに取付けられた磁石を取外せるようにした磁石収納部付きホルダーを提供する。【解決手段】矩形状で二枚合わせに重ねられたシートａ−１の、重ね合わされて隣接するＬ二方向が閉鎖９，９１、対するＬ二方向が開放されているホルダーＡにおいて、ホルダーに磁石収納部１１を設。【選択図】図１
2009069244.tif 000002
【特許請求の範囲】
【請求項１】
本体の形状が矩形状で、二枚合わせに重ねられたシートの、重ね合わされて隣接するＬ二方向が閉鎖、対するＬ二方向が開放されているホルダーにおいて、ホルダーに磁石収納部を設けたことを特徴とした磁石収納部付きホルダー。
【請求項２】
本体の形状が矩形状で二枚合わせに重ねられたシートの、重ね合わされた底辺に隣接する三方向が閉鎖、残る一方向が開放されているホルダーにおいて、ホルダーに磁石収納部を設けたことを特徴とした磁石収納部付きホルダー。
【請求項３】
本体の全形は矩形状であるが、大きさおよび形状が異なるシートが二以上重ねあわされ、重ね合わされて隣接するＬ二方向が閉鎖、対するＬ二方向が開放されているホルダー、または重ね合わされた底辺に隣接する三方向が閉鎖、残る一方向が開放されているホルダーにおいて、ホルダーに磁石収納部を設けたことを特徴とした磁石収納部付きホルダー。
【請求項４】
ホルダーに磁石収納部を設け、磁石収納部に対向する二方向を開放、対する二方向を閉鎖状として設けた請求項１〜３の磁石収納部付きホルダー。
【請求項５】
ホルダーに磁石収納部を設け、磁石収納部の一方向を開放、残る方向を閉鎖状として設けた請求項１〜３の磁石収納部付きホルダー。
【発明の詳細な説明】
【技術分野】
【０００１】
本発明は、紙葉類を収納したホルダーを磁石で掲示できるように工夫した磁石収納部付きホルダーに関するものである。
【背景技術】
【０００２】
現在使用されているＬ型ホルダーなど、少数枚の紙葉類を収納する各種のホルダー類は、収納した紙葉類をそのままの状態で見る、保管する、移動する、などの用途に使用するものである。
ところが、紙葉類をホルダーに収納した状態で掲示板等に掲示する場合は、紙葉類が収納されたホルダーを磁石で押さえて掲示していた。
または、ホルダーを粘着テープで貼り付ける等の方法により掲示していた。
【０００３】
また、掲示板等に掲示するためのホルダーとして磁石を備えたホルダー類も文献（特許文献１〜４参照）には開示されている。
ところが、これらのものはホルダーに磁石を直接取付けた形態のものであるために、ホルダーを掲示板等に掲示しないときのホルダーの取扱いにおいては、取付けられた磁石による厚みの増加に加えてホルダーに取付けられた磁石の作用による影響が支障となる場合等、ホルダーの保管・移動には適さないこともあった。
【特許文献１】特開２００４−２３０８７０
【特許文献２】特開２００１−２８７４８８
【特許文献３】登録実用新案登録第３０７９９９６号
【特許文献４】特開２００１−１０５７７５
【発明の開示】
【発明が解決しようとする課題】
【０００４】
そこで、本発明では、紙葉類を収納したホルダーを掲示板等に掲示する時には磁石を用いて掲示することができると共に、ホルダーを掲示板等に掲示しないときには掲示するために用いた磁石を撤去できる磁石収納部付きホルダーの提供を目的としたものである。 
【課題を解決するための手段】
【０００５】
本体の形状が矩形状で二枚合わせに重ねられたシートの、重ね合わされて隣接するＬ二方向が閉鎖、対するＬ二方向が開放されているホルダーにおいて、ホルダーに磁石収納部を設けたことを特徴とした磁石収納部付きホルダーである。
本体の形状が矩形状で二枚合わせに重ねられたシートとは、同大・同形のものを重ね合わせたもの、または大きさ・形状の異なるものを重ね合わせたものでよい。
なお、これより以降に示すホルダーにおいてもシートの形状、および大きさに関しては上記に準じるものである。
【０００６】
本体の形状が矩形状で二枚合わせに重ねられたシートの、重ね合わされた底辺に隣接する三方向が閉鎖、残る一方向が開放されているホルダーにおいて、ホルダーに磁石収納部を設けたことを特徴とした磁石収納部付きホルダーである。
【０００７】
本体の全形は矩形状であるが、大きさおよび形状が異なるシートが二以上重ねあわされ、重ね合わされて隣接するＬ二方向が閉鎖、対するＬ二方向が開放されているホルダー、または重ね合わされた底辺に隣接する三方向が閉鎖、残る一方向が開放されているホルダーにおいて、ホルダーに磁石収納部設けたことを特徴とした磁石収納部付きホルダーである。
【０００８】
ホルダーを吊り下げ状に保持するために設ける磁石収納部は、磁石収納部の対向する二方向を開放、対する二方向を閉鎖状として設けた磁石収納部付きホルダーで、磁石収納部の開放方向の断面形状が＝状を示す、例えば筒状形態に類する収納部である。（以下「筒状磁石収納部」という）
【０００９】
また、ホルダーに磁石収納部を設けたのは、磁石収納部の一方向を開放、残る方向を閉鎖状として設けた磁石収納部付きホルダーである。
磁石収納部の断面形状がＵ状、またはコ状を示すもので、例えば袋状形態に類する収納部である。（以下「袋状収納部」という）。
【００１０】
ホルダーに磁石収納部を設ける。
磁石収納部の位置、および数は任意でよく、また、磁石収納部は筒状収納部と袋状収納部とが混在するものでよい。
【００１１】
磁石収納部には収納した磁石の脱落・抜出しを防止するために、磁石収納口となる部分に面ファスナー・チャック・ホック類を用いた係止用材を取り付ける。
または、シート同士（ホルダーを構成するシート、または、磁石収納部を構成するシート、あるいはホルダーを構成するシートと磁石収納部を構成するシート）に舌片部と舌片部の差込部類を形成する等、収納した磁石の脱落・抜出しを防止する処置をしたものでもよい。
【００１２】
上記までに示した磁石収納部付きホルダーを使用するときには、ホルダーに設けた磁石収納部に磁石を収納した上で紙葉類の収納されたホルダーを掲示板・ロッカー・冷蔵庫脇等に掲示し、使用するものである。
【発明の効果】
【００１３】
職場や家庭でホルダーに収納した紙葉類を掲示板等に掲示するときには、従来は掲示する紙葉類の収納されたホルダーを磁石で押さえて掲示する。
または、ホルダーごと粘着テープで押さえて掲示する等により掲示していたが、本発明になる磁石収納部付きホルダーを使用することにより、あらためてホルダーを押さえ掲示するための磁石を用意したり、粘着テープで押さえて掲示する等のわずらわしさが解消されるものである。
また、本発明になる磁石収納部付きホルダーの取扱いに関しても、ホルダーに収納された磁石を撤去できるために、磁石収納部の設けていない従来のホルダーとほぼ同様に収納・保管・移動等の取扱いができるものである。
このことは、前記背景技術の引用文献に開示されている「ホルダーに直接磁石の取付けられたもの」との相違点でもある、「必要ないときには磁石収納部に収納されている磁石を撤去できる」ということにより、磁石の影響の受けてはならない場所での収納・保管・移動等も可能であるという効果も得られる。
【発明を実施するための最良の形態】
【００１４】
以下、本発明を実施するための最良の形態について、抜出し防止部付きＬ型ホルダーに磁石収納部を設けたものを以下に示す。
図１は筒状磁石収納部を設けた抜出し防止部付きＬ型ホルダーの裏面側の斜視図である。図２は抜出し防止部付きＬ型ホルダー表面側の斜視図である。
図３は抜出し防止部付きＬ型ホルダー表面側の平面図である。
図４は筒状磁石収納部のｚ−ｚ拡大断面図である。
本体の形状が矩形状で二枚合わせに重ねられたシートａ−1、ａ−2の重ね合わされて隣接するＬ二方向が閉鎖9、91、対するＬ二方向が開放8、8されているホルダーの、開放側シートａ−2の縦方向8に形成された舌片部21と、同じく開放側シートａ−1の縦方向8に形成された舌片部の差し込み孔22によりなる紙葉類の抜出し防止部2の設けたＬ型ホルダーにおいて、ホルダーの裏面側シートａ−1の上方部に帯板状磁石を収納するための筒状磁石収納部11を設けた抜出し防止部付きＬ型ホルダーＡである。
設ける筒状磁石収納部11は、抜出し防止部付きＬ型ホルダーを構成する二枚合わせのシートａ−1、ａ−2のうちの裏面側シートａ−1の上方部を延長し、シートａ−3を折り返して帯板状磁石が収納できる部分を確保した上で、折り返したシートａ−3の先端部を裏面側シートａ−1に取付けて帯板状磁石が収納できる筒状磁石収納部11（図４ｚ−ｚ拡大断面図参照）を設けたものである。
なを、裏面側シートａ−1の上方部を延長して折り返したシートａ−3の先端部を裏面側シートａ−1に取付けて筒状磁石収納部11を設けることに関しては、図４ｚ−ｚ拡大断面図に示した矩形状断面形とは異なる形状の磁石収納部11、すなわち裏面側シートａ−1の上方部を延長したシートａ−3を折り返しただけ（矩形状断面形とはしない）で裏面側シートａ−1に重ね合わせた二枚合わせの状態で、折り返したシートａ−3の先端部を裏面側シートａ−1に取付けて筒状磁石収納部11を設けたもの（帯板状磁石を収納するときには二枚い合わせにされたシートａ−1、ａ−3を押し広げて帯板状磁石を収納する）でもよい。
上記に示した筒状磁石収納部11を設けた抜出し防止部付きＬ型ホルダーＡを使用するときには、ホルダーのシート上方部に設けた筒状磁石収納部11に帯板状磁石を収納すると共に、ホルダーの開放側に設けた抜出し防止部2の舌片部21を舌片部の差し込み孔22に差込み、収納した紙葉類の抜出しを防止した上で筒状磁石収納部11に収納した磁石を用いて掲示板等に掲示するものである。
【００１５】
本発明になる筒状磁石収納部11を設けた抜出し防止部付きＬ型ホルダーＡは、二方向が閉鎖、二方向が開放になる従来型のＬ型ホルダーとは異なり、開放8された縦方向側に舌片部21と舌片部の差し込み孔22による紙葉類の抜出し防止部2が設けたホルダーであるために、該ホルダーの開放側に設けられた舌片部21を舌片部の差し込み孔22に差し込むことにより収納した紙葉類が抜け出すことなく、収納した紙葉類をホルダーごと掲示板等へ掲示することができるものである。
このことは、事務所・学校・病院といった職場先上での使用のみではなく、一般家庭でも子供たちが用いる机周りや家族が使用する台所・冷蔵庫周りなどで掲示するメモや連絡事項、または料理のレシピ等の掲示物を、従来の粘着テープでの貼り付け掲示・吊り下げ材での吊り下げ掲示にかえて本発明になる筒状磁石収納部11を設けた抜出し防止部付きＬ型ホルダーＡを用いることにより簡便収納、簡便掲示ができることになる。
【実施例】
【００１６】
実施例１として、袋状磁石収納部付きホルダーを以下に示す。
図５は、袋状磁石収納部付きホルダーの裏面側の斜視図、図６は、袋状磁石収納部付きホルダーの表面側の平面図である。
すなわち、矩形状で二枚合わせに重ねたシートｂ−1、ｂ−2の重ね合わせて隣接するＬ二方向と底辺に隣接する縦方向の一部が閉鎖9、91、91、残る二方向が開放8、8しているホルダーにおいて、ホルダーの裏面側シートｂ−1の上方部三箇所に磁石を収納するための袋状磁石収納部12、12、13を設けた磁石収納部付きホルダーＢである。
設ける磁石収納部は、通常紙葉類の掲示用として用いる円盤状、茸状（Ｔ状）、角形状等厚みのある磁石が収納できる収納部とした袋状収納部である。
袋状収納部を設ける場所は、ホルダー裏面側シートｂ−1の上方部左右方向に二ヶ所と上方部中央付近に一ヶ所の計三ヶ所とし、シートｂ−1上方部左右方向に設ける袋状磁石収納部は袋状磁石収納部12、12の収納口をそれぞれ外向きに、また上方部中央付近に設ける磁石収納部は茸状磁石が収納できるようにするためのＵ字状の開口部3を袋状収納部の表面側に形成した袋状磁石収納部13を設ける。
上記に示した袋状磁石収納部付きホルダーＢを使用するときには、ホルダーＢの裏面側シートｂ−1の上方部左右方向に設けた袋状磁石収納部12、12には円盤状・角形状等の磁石を収納し、シートｂ−1の上方部中央付近に設けた袋状収納部13には茸状磁石の張出し部を収納して紙葉類の収納された該ホルダーＢを掲示板等に掲示するものである。
このとき、ホルダーＢの裏面側シートｂ−1上方部中央付近に設けた袋状磁石収納部13に収納した茸状磁石は、茸状磁石の磁力作用面が直接掲示板等に接触することになるものである。
【００１７】
実施例２として、抜出し防止部付き多層型ホルダーに磁石収納部を設けたものを以下に示す。
図７は、ホルダーの上方部、および下方部に、筒状磁石収納部を設けた抜出し防止部付き多層型ホルダー裏面側の斜視図、図８は抜出し防止部付き多層型ホルダー表面側の斜視図である。
大きさが異なり、異なる大きさのシートｃ−1、ｃ−2、ｃ−3、ｃ−4の下辺が略揃う形状で大きさ順に四枚合わせに重ね合わせる。
重ね合わせた四枚のシートｃ−1、ｃ−2、ｃ−3、ｃ−4のうち、大きい順に三枚のシートｃ−1、ｃ−2、ｃ−3の下辺を含む隣接するＬ二方向が閉鎖9、91、91、対するＬ二方向が開放8、8、8する。
開放された三枚のシートｃ−1、ｃ−2、ｃ−3の縦方向に舌片部23、25（二枚目シートｃ−2には舌片部23を、また三枚目シートｃ−3には舌片部25を設ける）と舌片部の差し込み孔24、26、26（一枚目シートｃ−1には舌片部の差し込み孔24、26を、また、二枚目シートｃ−2には舌片部の差し込み孔26を設ける）による紙葉類の抜出し防止部2、2を設ける。
残る四枚目シートｃ−4はＬ二方向が閉鎖された三枚目のシートｃ−3（三番目に小さいシート）に下辺を含む隣接する三方向が閉鎖91、91、91、残る上方向が開放8されてなる抜出し防止部付き多層型ホルダーにおいて、該ホルダーを吊下げ状に保持するために用いる帯板状磁石を収納する筒状磁石収納部14、14、15、16、16を設けた抜出し防止部付き多層型ホルダーＣである。
筒状磁石収納部は、ホルダーの裏面側シートｃ−1の上方部に長さの異なる筒状収納部14、14、16、16を並べ合わせた形態（図７参照）で設けると共に、ホルダー裏面側シートｃ−1の下方中央部付近にも帯板状磁石を収納するための筒状収納部15を設けたものである。
上記に示した筒状磁石収納部を設けた抜出し防止部付き多層型ホルダーＣに帯板状磁石を収納して使用するときには、ホルダーＣの表面側に設けられた収納形態の異なる収納部に、定型紙葉類と共にメモ類などを含む小片紙類等、大きさや形状の異なる紙葉類を収納して掲示板やロッカー、または家庭での冷蔵庫等に掲示するものである。
【００１８】
実施例３としてホルダーに設ける磁石収納部について、図９の磁石収納部の説明用の外観図、および説明用の断面図に基づき以下に示す。
図９のａ〜ｄは、ホルダーに設ける磁石収納部1の説明用の外観図である。
図のａは、筒状磁石収納部1の外観図で、外観は長方形であるが磁石収納部となる内部の断面形状は相対する二方向が閉鎖9、9、対する二方向が開放8、8された＝状を示した形態の磁石収納部1である。
図のｂは、袋状磁石収納部1の外観図で、磁石収納部の収納口となる一方向が開放8、残る他方向が閉鎖9されたもので、内部の断面形状はコ状・Ｕ字状を示した形態の磁石収納部1である。
図のｃは、巾を有するＵ字状磁石収納部1の外観図で、Ｕ字状の巾部分に茸状磁石等の張出し部を収納できるようにするために、Ｕ字状の外周部を閉鎖９状とした磁石収納部1である。
前記実施例１においては、袋状磁石収納部13として表している。
該磁石収納部に茸状磁石等の張出し部を有する磁石を収納して使用するとはときには、該茸状磁石等に設けている張出し部をＵ字状の巾部分に収納して使用するものである。
図のｄは、細巾の筒状磁石収納部を連続して設けた形態の磁石収納部1の外観図で、該磁石収納部1に磁石を収納して使用するときには、連続して設けた二以上の細巾筒状磁石収納部に磁石を通して保持・収納するものである。
図９のｅ〜ｆは、磁石収納部に収納した磁石の保持に関する説明用の参考図である。
図のｅは、筒状磁石収納部1、または、袋状磁石収納部1において、筒状磁石収納部1の開放8された側（磁石収納口）、または、袋状磁石収納部1の開放8された側（磁石収納口）に面ファスナー・チャック・ホック類の係止用材を取り付けて収納した磁石の脱落・抜出しを防止したもの、または、シート同士に舌片部と舌片部の差込部類を形成して収納した磁石の脱落・抜出しを防止したもの等、磁石収納部1に収納した磁石の脱落・抜出しを防止するための目的で設けた磁石脱落防止部4の形態を示したものである。
図のｆは、磁石収納位置に配置した磁石を、磁石おおい材で後からおおい保持・収納して磁石収納部1とした形態を示した例で、図示例は筒状磁石収納部1の相対する二方向のうちの一方向が閉鎖、対する一方向側に面ファスナー・チャック・ホック類等の係止用材を取り付ける、またはシート同士に舌片部と舌片部の差込部類を形成する等の磁石脱落防止部4を設けて磁石を収納・保持する形態の磁石収納部1を示したものである。
磁石収納位置に配置した磁石を、磁石おおい材で後からおおい保持・収納して磁石収納部1とすることに関しては、図のｆに示した図示例以外に、磁石収納部1となる部分（磁石が配置された部分）と磁石のおおい材の双方に面ファスナー・チャック・ホック類等の係止用材を取り付ける、またはシート同士に舌片部と舌片部の差込部類を形成する等の磁石脱落防止部4を設けることにより、該磁石おおい材を取付け・取外し可の形態として設けた磁石収納部1としたものでもよい。
図９のｇ〜ｊは、ホルダーに設ける磁石収納部1の構成形態を表した説明用の断面図である。
図のｇは、磁石収納部1を構成する材を二枚合わせとし、二枚合わせとした材の相対する二方向が閉鎖されている形状を表した断面図である。
例えば、筒状材を押しつぶして平らな二枚あわせ状となる形状を表した説明用の断面図である。
磁石収納部1に磁石を収納するときには、二枚合わせにされた材の双方を押し広げた状態で磁石を収納するものである。
図のｈは、当初より定型形成された磁石収納部1をホルダーに設ける例として矩形状磁石収納部1の断面形を用いて示した説明用の断面図である。
磁石収納部1に磁石を収納するときには、磁石収納部1の形状を変化させることなく定型形成された磁石収納部1に磁石を収納できるものである。
図のｉは、薄材等、柔軟性のある素材にて形成した磁石収納部1をホルダーに設ける例として円形状磁石収納部1の断面形を用いて示した説明用の断面図である。
磁石収納部1に磁石を収納するときには、磁石収納部1の形状が自由に変化するために、磁石収納部1に収納する磁石の形状は限定されないものとなる。
図のｊは、茸状磁石等の張出し部を有する磁石を収納するための磁石収納部1を示した断面図で、断面図の上下方向のコ状部分に茸状磁石等の張出し部を収納するものである。
磁石収納部1に磁石を収納するときには、磁石収納部1に設けられた張出し部に茸状磁石等が有する張出し部を納部することにより収納した茸状磁石等を直接掲示板等に付着できるものである。
図９のｋ〜ｎはホルダーＤに設ける磁石収納部1の取付け形態の説明用の断面図である。
ホルダーＤに磁石収納部1を設けるための取付け形態に関しては、磁石収納部1をホルダーＤに接着・熱着等により固着させて設けたもの、磁石収納部1をホルダーＤに面ファスナー・チャック・ホック類の取付け用材を用いて設けたもの、シート同士に舌片部と舌片部の差込部類を形成する等により設けたものである。
図のｋは、ホルダーＤに設ける磁石収納部1を、ホルダーＤ本体とは別材になる磁石おおい材5を用いて収納する磁石をおおい保持・収納する形態でホルダーＤに磁石収納部1を設けた90ことを表した磁石収納部1の取付け形態の説明用の断面図である。
図のｌは、ホルダーＤに設ける磁石収納部1を、最初から定型状に形成した磁石収納部6をホルダーＤに設けた90ことを表した磁石収納部1の取付け形態の説明用の断面図である。
表現例として矩形状磁石収納部の断面形を用いて示したものである。
図のｍは、ホルダーＤに設ける磁石収納部1を、該ホルダーＤ本体の一部を延長し、延長したホルダーＤの延長部で磁石をおおい保持・収納する形態で磁石収納部1を設けた90ことを表した磁石収納部1の取付け形態の説明用の断面図である。
図のｎは、ホルダーＤに設ける磁石収納部1を、柔軟性素材で形成した磁石収納部7をホルダーＤに設けた90ことを表した磁石収納部1の取付け形態の説明用の断面図で、表現例として円形状磁石収納部の断面形を用いて示したものである。
【図面の簡単な説明】
【００１９】
【図１】本発明の筒状磁石収納部を設けた抜出し防止部付きＬ型ホルダーの裏面側の斜視図である。
【図２】本発明の抜出し防止部付きＬ型ホルダー表面側の斜視図である。
【図３】本発明の抜出し防止部付きＬ型ホルダー表面側の平面図である。
【図４】本発明の筒状磁石収納部のｚ−ｚ拡大断面図である。
【図５】本発明の袋状磁石収納部付きホルダーの裏面側の斜視図である。
【図６】本発明の袋状磁石収納部付きホルダーの表面側の平面図である。
【図７】本発明の筒状磁石収納部を設けた抜出し防止部付き多層型ホルダー裏面側の斜視図である。
【図８】本発明の抜出し防止部付き多層型ホルダー表面側の斜視図である。
【図９】本発明の磁石収納部の説明用外観図、および説明用の断面図である。
【符号の説明】
【００２０】
１・・・磁石収納部
２・・・抜出し防止部
３・・・開口部
４・・・脱落防止部
５・・・磁石おおい材
６・・・定型状に形成した磁石収納部
７・・・柔軟性素材で形成した磁石収納部
８・・・開放
９・・・閉鎖、  ９１・・・閉鎖
１１・・・筒状収納部
１２・・・袋状収納部、  １３・・・袋状収納部
１４・・・筒状収納部、  １５・・・筒状収納部、  １６・・・筒状収納部
２１、２３、２５・・・舌片部
２２、２４      ・・・舌片部の差込み孔
９０・・・設けた
Ａ・・・筒状磁石収納部を設けた抜出し防止部付きＬ型ホルダー
ａ−1、ａ−2、ａ−3・・・シート
Ｂ・・・袋状磁石収納部付きホルダー
ｂ−1、ｂ−2・・・シート
Ｃ・・・筒状磁石収納部を設けた抜出し防止部付き多層型ホルダー
ｃ−1、ｃ−2、ｃ−3、ｃ−4・・・シート
Ｄ・・・ホルダー
【図１】
2009069244.tif 000003
【図２】
2009069244.tif 000004
【図３】
2009069244.tif 000005
【図４】
2009069244.tif 000006
【図５】
2009069244.tif 000007
【図６】
2009069244.tif 000008
【図７】
2009069244.tif 000009
【図８】
2009069244.tif 000010
【図９】
2009069244.tif 000011